(57)【要約】【課題】本発明は、雨水の流出抑制に使用される新規の単位部材の提案にある。【解決手段】本発明は、上下に積み重ね可能な形状を有するブロックの複数をリブで直線状に配列した単位部材を、当該単位部材のブロック部を積み重ねるようにして、地下に井桁状に組み上げた構築物とし、かつ、当該構築物の周囲を、床材、天井部材、壁材で覆って貯留空間とし、貯留空間を適当なシートで覆い貯留槽あるいは浸透槽とした雨水等の流出抑制施設である。【選択図】図1
2011252357.tif 000002
【特許請求の範囲】
【請求項１】
上下に積み重ね可能な形状を有するブロックの複数をリブで直線状に配列した単位部材を、当該単位部材のブロック部を積み重ねるようにして、地下に井桁状に組み上げた構築物とし、かつ、当該構築物の周囲を、床材、天井部材、壁材で覆って貯留空間とした雨水等の流出抑制施設。
【発明の詳細な説明】
【技術分野】
【０００１】
本発明は、雨水の流出抑制施設の構築に利用される単位部材とそれを用いた雨水流出抑制技術に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のため各種の異なる形状の単位部材が例えば特開昭62-101097、特開昭62-126179、特開平9-296486、特開平10-252108、特開平10-115778、特開平11-43971、特開平11-222886などに提案且つ使用されている。いずれの方法も単位部材を地下に配列し、その周囲を透水性若しくは遮水性のシートで包み、その内部空間に雨水等を貯留する浸透・貯留施設とするものであった。
それらの単位部材に変わる新しい単位部材の提案にある。
【先行技術文献】
【特許文献】
【０００３】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【発明の概要】
【発明が解決しようとする課題】
【０００４】
本発明は、雨水の流出抑制に使用される新規の単位部材の提案にある。
【課題を解決するための手段】
【０００５】
本発明は、上下に積み重ね可能な形状を有するブロックの複数をリブで直線状に配列した単位部材を、当該単位部材のブロック部を積み重ねるようにして、地下に井桁状に組み上げた構築物とし、かつ、当該構築物の周囲を、床材、天井部材、壁材で覆って貯留空間とした雨水等の流出抑制施設である。
【発明の効果】
【０００６】
本発明は、上下に積み重ね可能な形状を有するブロックの複数をリブで直線状に配列した単位部材を、当該単位部材のブロック部を積み重ねるようにして、地下に井桁状に組み上げた構築物とし、かつ、当該構築物の周囲を、床材、天井部材、壁材で覆って貯留空間とした雨水等の流出抑制施設であるため、荷重はブロックで支持するため強度が高くなる。
【図面の簡単な説明】
【０００７】
【図１】は、本発明である単位部材の例を示す概念図である。
【図２】は、本発明である単位部材の他の例を示す概念図である。
【図３】は、単位部材を組み上げた構築物の例を示す概念図である。
【図４】は、単位部材を組み上げた構築物の他の例を示す概念図である。
【図５】は、構築物の天材、床材、壁材を施した貯留空間を示す概念図である。
【図６】は、貯留空間を雨水の流出抑制として使用した例を示す。
【発明を実施するための形態】
【０００８】
以下本発明を、図を用いて、より詳細に説明する。
本発明の単位部材は、図1に示すように、上下対称に設けた孔部を有するブロックの複数をリブで直線状に配列した形状を有する。図１ａは平面図、図１ｂはA-A’線での断面図、図１ｃは側面図を示す。ブロック部は図では正方形の頂面を有する直方体として示されている。そのブロック部をリブで直線状に連結配置している。
【０００９】
ブロックにはその頂面底面に開口する孔部および契合用の突部、凹部が設けられている。図では孔部は中心に向かって狭くなるようにテーパが設けられている。図では孔部は貯留率の増加、貫通するようにして後述する単位部材の組み上げに際し、鉄棒などを通して強化することもできる。流出抑制用のブロックとして利用する場合には、孔部はなくてもよい。
ブロックの上下に設けられる突部、凹部は単位部材を井桁状に組み上げる際、互いに契合される位置に設けられている。本突部凹部に限らずブロックを上下に固定できる既存の契合部を使用することができる。
ブロック部の形状も正方形であるが、単位部材を井桁状に組み上げる際、ブロック部を積み重ねるようにして組み上げる時中心の孔部が直線状に配列するよう、ずれることなく組み上げられる形状であればよい。特に正方形あるいは円形が好ましい。
【００１０】
図に示す単位部材の両端のブロック部は半割として、単位部材を直線状に配置する時にブロックの形状が正方形となるようにされている。
【００１１】
図２は、単位部材の他の例を示している。図２ａは、平面図、図２ｂは、断面図である。図1の単位部材と異なる点は、ブロックの形状が円筒であることと、単位部材の両端のブロックが半割りでなく円筒のままである点である。
【００１２】
図３は、図１に示す単位部材を井桁状に組み上げた構築物を示している。単位部材のブロック部に設けた継手部である突部・凹部を利用して横３列、縦１列、高さ５層に積み上げた状態を示している。図３ａは平面図、図３ｂはA-A’線での断面図である。井桁状に積み上げることで、構築物内には水が自由に流入する。
【００１３】
図４は、図２に示す単位部材を井桁状に組み上げた構築物を示している。単位部材のブロック部に設けた継手部である突部・凹部を利用して横３列、縦１列、高さ５層に積み上げた状態を示している。図４ａは平面図、図４ｂはA-A’線での断面図である。井桁状に積み上げることで、構築物内には水が自由に流入することは変わらない。
【００１４】
図５は、上記構築物の上部、底部、周囲に天材、床材、壁材を配置し雨水等の貯留空間を構築した状態を示している。
【００１５】
図６は、貯留空間を雨水流出抑制施設として使用した例を示す概念図である。
貯留空間の周囲を目的に応じたシートで包み雨水等の貯留施設あるいは浸透施設として使用する。地下水位の高い場所に設置する場合は、地下水が貯留空間内に入ってこないよう遮水シートで底面、周囲および必要に応じて天井部を覆う。また、地下に浸透させる目的のためには透水性のシートで覆い、土砂の貯留空間内への進入防止と、貯留空間に一時的に貯水した雨水を土壌中に浸透させる。
本単位部材の使用方法は、従来の流出抑制施設の構築に使用されるブロックと変わるところがない。
【００１６】
更に、使用目的に応じた泥だめ枡、オリフィス桝、流入排出管を設けて雨水の流出抑制施設として利用される。
【産業上の利用可能性】
【００１７】
雨水の流出抑制施設である貯留槽、浸透槽としてあるいは雨水の有効利用を図る貯留槽として利用可能である。
【符号の説明】
【００１８】
１  単位部材
１１  ブロック
１２  リブ
１３  孔部
１４  突部
１５  凹部
２  天材
３  床材
４  壁材
５  シート
【図１】
2011252357.tif 000003
【図２】
2011252357.tif 000004
【図３】
2011252357.tif 000005
【図４】
2011252357.tif 000006
【図５】
2011252357.tif 000007
【図６】
2011252357.tif 000008